(57)【要約】【課題】シャンプー、リンスなどの容器のボトルに補充用の液体を補充する時に、手間をかけずに床の汚れを最小限に補充ができて、容器のポンプを衛生的に維持できる漏斗を開発すること。【解決手段】シャンプー等の容器のボトルに、補充用の液体が入ったパウチから補充用の液体を補充する際に使用する漏斗であって、該漏斗１は、上端に補充用の液体を注入するための注入口４−１と、下端に注入された補充用の液体を排出するための排出口４−２とを設けた漏斗本体２からなり、漏斗本体２の下部はボトル９の口に挿入できる挿入部３とし、漏斗本体２の側壁に、側壁から漏斗本体２のほぼ中央部に向かって、容器のポンプ８のチューブ等のボトル挿入部分を垂直に挿入できるように凹部５を設け、凹部５の上端の端面で容器のポンプ８を垂直に支持できるようにした。【特許請求の範囲】
【請求項１】
シャンプー、リンス、ボディーソープなどの容器のボトルに、補充用の液体が入ったパウチから補充用の液体を補充する際に使用する漏斗であって、該漏斗は、上端に補充用の液体を注入するための注入口と、下端に注入された補充用の液体を排出するための排出口とを設けた漏斗本体からなり、漏斗本体の下部はボトルの口に挿入できる挿入部とし、漏斗本体の側壁に、側壁から漏斗本体のほぼ中央部に向かって、容器のポンプのチューブを挿入できるように凹部を設け、凹部の上端で容器のポンプを支持できるようにしたことを特徴とする漏斗。
【請求項２】
漏斗を取り外した時に漏斗内の補充液が漏斗からこぼれないように、漏斗本体の上部に液体受壁で構成した液体受溝を設けたことを特徴とする請求項１に記載の漏斗。
【発明の詳細な説明】
【技術分野】
【０００１】
本発明はシャンプー、リンス、ボディーソープなどの容器に補充液を補充する時に使用する漏斗に関するものである。
【背景技術】
【０００２】
これまで補充用のシャンプー、リンス、ボディーソープなどの補充液は、ポンプ式容器上部のポンプの挿入口からポンプを引き抜いて、補充液のパウチの注ぎ口をポンプの挿入口に接触させて補充をしたり、例えば特許文献１の特開２０１０−１６３１９５号公報、特許文献２の特開２００９−０４０５０１号公報、特許文献３の実登３１２０１４９号公報および特許文献４の実登３１０４３２６号公報に記載されている漏斗のように、ポンプ式の容器のボトルからポンプを引き抜いて、漏斗の下部をポンプの挿入口に挿入して、補充液のパウチの注ぎ口を漏斗の下方に向け設置して補充をしたりしている。しかし、このような漏斗では、漏斗を容器のボトルのポンプの挿入口に挿入するために、容器のボトルから引き抜いたポンプから落下するシャンプー、リンス、ボディーソープなどの液が浴室の床に落下して床を汚してしまうので、床を洗わなければならない。また、容器から引き抜いたポンプを衛生的に維持するために置く場所を考慮しなければならない。
【０００３】
これに対して特許文献５の特開２００８−１８４２２４号公報、特許文献６の特開２００２−１７９０９９号公報は、容器部分にパウチがセットされていて、シャンプー、リンス、ボディーソープなどの液が無くなった使用済みのパウチを取り出して新しいパウチと入替え、入替えたパウチに直接ポンプを挿入して補充することなくシャンプー、リンス、ボディーソープなどを使用できる構成が考案されている。しかし、容器の構造が複雑で容器にセットするのに手間がかかるし入替えのできるシャンプー、リンス、ボディーソープが限定される。
【先行技術文献】
【特許文献】
【０００４】
【特許文献１】特開２０１０−１６３１９５号公報
【特許文献２】特開２００９−０４０５０１号公報
【特許文献３】実登３１２０１４９号公報
【特許文献４】実登３１０４３２６号公報
【特許文献５】特開２００８−１８４２２４号公報
【特許文献６】特開２００２−１７９０９９号公報
【発明の概要】
【発明が解決しようとする課題】
【０００５】
シャンプー、リンス、ボディーソープなどの容器のボトルに、補充液が入ったパウチから補充液を補充する際に、手間をかけずに床の汚れを最小限にして補充することができて、シャンプー、リンス、ボディーソープなどの容器のポンプを衛生的に維持できる漏斗を開発すること。
【課題を解決するための手段】
【０００６】
そこで、このような課題を解決するために本発明の漏斗は、シャンプー、リンス、ボディーソープなどの容器のボトルに、補充用の液体が入ったパウチから補充用の液体を補充する際に使用する漏斗であって、該漏斗は、上端に補充用の液体を注入するための注入口と、下端に注入された補充用の液体を排出するための排出口とを設けた漏斗本体からなり、漏斗本体の下部はボトルの口に挿入できる挿入部とし、漏斗本体の側壁に、側壁から漏斗本体のほぼ中央部に向かって、容器のポンプのチューブを挿入できるように凹部を設け、凹部の上端で容器のポンプを支持できるようにしたことを特徴とする漏斗。
【０００７】
漏斗を取り外した時に漏斗内の補充液が漏斗からこぼれないように、漏斗本体の上部に液体受壁で構成した液体受溝を設けたことを特徴とする。
【発明の効果】
【０００８】
本発明の漏斗は、補充用のシャンプー、リンス、ボディーソープなどの補充液をシャンプー、リンス、ボディーソープなどの容器のボトルに補充するために、容器のボトルからポンプを引き抜くことが無いから、シャンプー、リンス、ボディーソープなどの液の浴室の床への落下の量を軽減することができるので、床の汚れを最小限にして補充することができる。また、容器のボトルからポンプを引き抜かないので、ポンプを衛生的に保つことができてポンプを置く場所にも困らない。そして、複雑な構造ではないので、簡単に補充用のシャンプー、リンス、ボディーソープなどの補充液の補充ができて手間がかからない。また、補充用のシャンプー、リンス、ボディーソープが限定されない。
【０００９】
液体受壁で構成された液体受溝を設けたことで、使用が終わった漏斗をボトルから取外し反転させれば、漏斗の内部に付着した補充液が液体受溝に溜まるので浴槽の床を汚さない。
【図面の簡単な説明】
【００１０】
【図１】本発明の漏斗１の図面。
【図２】漏斗１のＡーＡの断面図。
【図３】漏斗１の使用時の図面。
【図４】漏斗１の使用時のＢーＢの断面図。
【図５】別の実施例の漏斗１１の図面。
【図６】別の実施例、漏斗１１のＣーＣの断面図。
【発明を実施するための形態】
【００１１】
以下本発明にかかる漏斗について図１から図４に基づいて説明する。
【００１２】
本発明の漏斗１は図１から図４に図示されているように、漏斗１は、上端に補充用の液体を注入するための注入口４−１と、下端に注入された補充用の液体を排出するための排出口４−２を設けた漏斗本体２からなり、漏斗本体２の下部は、ボトル９の口に挿入できるように、注入口４−１に注入された補充用の液体を排出するための排出口４−２を下端に備えた挿入部３を設け、漏斗本体２の側壁に、チューブ８−１をボトル９から引き抜くことなく詰め替えをするために、側壁から漏斗本体２のほぼ中央部に向かって、容器のポンプ８のチューブ８−１を挿入できるように凹部５が設けられている。
【００１３】
凹部５は、漏斗本体２の側壁の一部をへこませて漏斗本体２の中央部に向かってほぼ中央部まで設けて、凹部５を構成する壁でポンプ係止部５−２を構成している。ポンプ係止部５−２は、漏斗１の注入口４−１に補充液を注入するときに、ポンプ８が邪魔にならない位置で、そして、補充液の落下を妨げない位置でポンプ８を係止できる高さに構成している。また、漏斗１は、漏斗本体２の壁と漏斗本体２の側壁の一部をへこませた凹部５の壁で形成された内部の空間で通過道４を構成している。
【００１４】
漏斗１は、ボトル９から垂直に引き上げたポンプ８のチューブ８−１を、漏斗１の凹部５のチューブ挿入口５−１から挿入して、漏斗１のほぼ中央部まで設けた凹部５の凹部分に収納して、漏斗１の挿入部３をボトル９に挿入して補充用の液体を注入口４−１に注入すると、通過道４を通過した補充液が排出口４−２からボトル９に補充できる。
【００１５】
漏斗１は、漏斗本体２の側壁から中央部に向かってほぼ中央部に凹部５を設けた構成により、補充用の補充液をシャンプー、リンス、ボディーソープなどの容器のボトル９に補充するために、容器のボトル９からポンプ８を引き抜くことが無いから、ポンプ８のチューブ８−１に付着した液の浴室の床への落下の量を軽減することができるので、床の汚れを最小限にして補充することができる。また、ポンプを衛生的に保つことができてポンプを置く場所にも困らない。そして、複雑な構造ではないので、簡単に補充用のシャンプー、リンス、ボディーソープなどの補充液の補充ができて手間がかからない。また、補充用のシャンプー、リンス、ボディーソープが限定されない。
【００１６】
別の実施例の漏斗１１について図５、図６に基づいて説明と、漏斗１１は、使用が終わった時に、ボトルから取外した漏斗の内部に付着した補充液が、浴槽の床を汚すことを軽減するために、実施例１の漏斗１の上端の注入口４−１に沿わせた内側に、液体受壁１６で構成した液体受溝１７が設けられ、ボトルから引き抜いた使用済みの漏斗１１を反転させると、漏斗１１の内部に付着した補充液が液体受溝１７に溜まる構成になっている。
【００１７】
漏斗１１は、液体受溝１７を設けたことで、使用が終わった漏斗１１をボトル９から取外し反転させれば、漏斗１１の内部に付着した補充液が、液体受溝１７に溜まるので浴槽の床を汚さない。
【００１８】
液体受壁１６、液体受溝１７の構成は、補充液を注入口１４−１ に注ぐ時に、補充液の注入の妨げになることなく、補充を終えた漏斗１１を引き抜いて反転させた時に、漏斗１１の内部に付着した補充液が溜まる構成であればよく、液体受壁１６の幅、長さ、また、液体受溝１７の深さを、特に限定するものではない。
【００１９】
漏斗１、漏斗１１の素材においては、プラスチック、アルミなどの軽量で繰り返し使用ができる強度があり腐食しにくいものが理想であるが、場合によってはゴム、紙などの使用も可能であるが、特にプラスチック、アルミに限定するものではない。
【００２０】
漏斗１、漏斗１１の形状、大きさは、漏斗１、漏斗１１をボトル９に安定して設置できて、切り口を開けた補充液が注ぎやすく、ボトル９への着脱とチューブ８−１からの着脱が容易で、補充液を滞りなくボトル９に補充することがでる形状であればよく、特に限定するものではない。
【００２１】
通過道４、通過道１４の構成は、 注入口４−１ 、注入口１４−１に注いだ補充液が、漏斗１、漏斗１１の外部に落下することなく、排出口４−２、排出口１４−２からシャンプー、リンス、ボディーソープなどの容器のボトル９に、滞りなく補充できる構成であればよく、特に限定するものではない。
【００２２】
凹部５、凹部１５の位置、形状、大きさ、高さは、漏斗１、漏斗１１をボトル９に安定して設置できて、チューブ８−１が収納できて、凹部５、凹部１５からの着脱が容易で、通過道４、通過道１４、注入口４−１、注入口１４−１、排出口４−２、排出口１４−２の機能を最大限に利用することができ、注入口４−１、注入口１４−１に補充液を注入する時に、ポンプ８が注入の妨げになることなく安定して設置することができて、漏斗１、漏斗１１が最大限に機能すればよく、特に限定するものではない。
【符号の説明】
【００２３】
１              漏斗
２              漏斗本体
３              挿入部
４              通過道
４−１         注入口
４−２         排出口
５               凹部
５−１         チューブ挿入口          
５−２         ポンプ係止部
８              ポンプ
８−１         チューブ
９              ボトル
１１           漏斗
１２           漏斗本体
１３           挿入部
１４           通過道
１４−１      注入口
１４−２      排出口
１５           凹部
１５−１      チューブ挿入口          
１５−２      ポンプ係止部
１６           液体受壁
１７           液体受溝
【図１】
2017088175.tif 000002
【図２】
2017088175.tif 000003
【図３】
2017088175.tif 000004
【図４】
2017088175.tif 000005
【図５】
2017088175.tif 000006
【図６】
2017088175.tif 000007
【手続補正書】
【提出日】平成28年3月1日(2016.3.1)
【手続補正１】
【補正対象書類名】特許請求の範囲
【補正対象項目名】請求項１
【補正方法】変更
【補正の内容】
【請求項１】
シャンプー、リンス、ボディーソープなどの容器のボトルに、補充用の液体が入ったパウチから補充用の液体を補充する際に使用する漏斗であって、該漏斗は、上端に補充用の液体を注入するための注入口と、下端に注入された補充用の液体を排出するための排出口とを設けた漏斗本体からなり、漏斗本体の下部はボトルの口に挿入できる挿入部とし、漏斗本体の側壁に、側壁から漏斗本体のほぼ中央部に向かって、容器のポンプのチューブ等のボトル挿入部分を垂直に挿入できるように凹部を設け、凹部の上端の端面で容器のポンプを垂直に支持できるようにしたことを特徴とする漏斗。
【手続補正２】
【補正対象書類名】明細書
【補正対象項目名】０００６
【補正方法】変更
【補正の内容】
【０００６】  そこで、このような課題を解決するために本発明の漏斗は、シャンプー、リンス、ボディーソープなどの容器のボトルに、補充用の液体が入ったパウチから補充用の液体を補充する際に使用する漏斗であって、該漏斗は、上端に補充用の液体を注入するための注入口と、下端に注入された補充用の液体を排出するための排出口とを設けた漏斗本体からなり、漏斗本体の下部はボトルの口に挿入できる挿入部とし、漏斗本体の側壁に、側壁から漏斗本体のほぼ中央部に向かって、容器のポンプのチューブ等のボトル挿入部分を垂直に挿入できるように凹部を設け、凹部の上端の端面で容器のポンプを垂直に支持できるようにしたことを特徴とする。
【手続補正書】
【提出日】平成28年10月27日(2016.10.27)
【手続補正１】
【補正対象書類名】特許請求の範囲
【補正対象項目名】全文
【補正方法】変更
【補正の内容】
【特許請求の範囲】
【請求項１】
シャンプー、リンス、ボディーソープなどの容器のボトルに、補充用の液体が入ったパウチから補充用の液体を補充する際に使用する漏斗であって、該漏斗は、上端に補充用の液体を注入するための注入口と、下端に注入された液体を排出するための排出口とを設けた漏斗本体からなり、漏斗本体の下部はボトルの口に挿入できる挿入部とし、漏斗本体の側壁に、側壁から漏斗本体のほぼ中央部に向かって、容器のポンプのチューブ等のボトル挿入部分のみを垂直に挿入できるように凹部を設け、漏斗本体の中央部において凹部の上端の端面で容器のポンプを支持し、凹部内にあるボトル挿入部分を垂直に支持できるようにしたことを特徴とする漏斗。
【請求項２】
漏斗を取り外した時に漏斗内の補充液が漏斗からこぼれないように、漏斗本体の上部に液体受壁で構成した液体受溝を設けたことを特徴とする請求項１に記載の漏斗。
【手続補正２】
【補正対象書類名】明細書
【補正対象項目名】０００６
【補正方法】変更
【補正の内容】
【０００６】  そこで、このような課題を解決するために本発明の漏斗は、シャンプー、リンス、ボディーソープなどの容器のボトルに、補充用の液体が入ったパウチから補充用の液体を補充する際に使用する漏斗であって、該漏斗は、上端に補充用の液体を注入するための注入口と、下端に注入された液体を排出するための排出口とを設けた漏斗本体からなり、漏斗本体の下部はボトルの口に挿入できる挿入部とし、漏斗本体の側壁に、側壁から漏斗本体のほぼ中央部に向かって、容器のポンプのチューブ等のボトル挿入部分のみを垂直に挿入できるように凹部を設け、漏斗本体の中央部において凹部の上端の端面で容器のポンプを支持し、凹部内にあるボトル挿入部分を垂直に支持できるようにしたことを特徴とする。
【手続補正３】
【補正対象書類名】図面
【補正対象項目名】図２
【補正方法】変更
【補正の内容】
【図２】
2017088175.tif 000008
【手続補正４】
【補正対象書類名】図面
【補正対象項目名】図４
【補正方法】変更
【補正の内容】
【図４】
2017088175.tif 000009
【手続補正５】
【補正対象書類名】図面
【補正対象項目名】図６
【補正方法】変更
【補正の内容】
【図６】
2017088175.tif 000010